(57)【要約】      （修正有）【課題】電子カルテへの治療内容の入力を支援するカルテ入力支援プログラム、方法、装置を提供する。【解決手段】指定された患者の治療の際に用いられる治療機器の識別情報を第１センサで取得し、患者の病名を含む治療履歴を記憶した記憶部を参照して、指定された患者の病名を特定し、特定した病名と取得した治療機器の識別情報との組み合わせに対応する治療内容を、病名と治療機器の組み合わせと治療内容との対応関係データに基づいて特定し、指定された患者の電子カルテに特定した治療内容を患者の今回の治療内容として入力する、又は、入力候補として提示する処理をコンピュータに実行させる。【選択図】図９
2016033777.tif 000002
【特許請求の範囲】
【請求項１】
指定された患者の治療の際に用いられる治療機器の識別情報を第１センサで取得し、
患者の病名を含む治療履歴を記憶した記憶部を参照して、指定された前記患者の病名を特定し、
特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、
処理をコンピュータに実行させることを特徴とするカルテ入力支援プログラム。
【請求項２】
前記対応関係データに基づいて、特定した前記病名と取得した前記治療機器の識別情報との組み合わせに対応する治療内容が複数特定された場合に、特定された複数の治療内容を入力候補として提示し、
提示した前記複数の治療内容のうち、選択された治療内容を今回の治療内容として入力する、処理をコンピュータに実行させることを特徴とする請求項１に記載のカルテ入力支援プログラム。
【請求項３】
前記治療内容が選択されたことを、人の動き又は音を検出する第２センサの検出結果から取得することを特徴とする請求項２に記載のカルテ入力支援プログラム。
【請求項４】
指定された患者の治療の際に用いられる治療機器の識別情報を第１センサで取得し、
患者の病名を含む治療履歴を記憶した記憶部を参照して、指定された前記患者の病名を特定し、
特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、
処理をコンピュータが実行することを特徴とするカルテ入力支援方法。
【請求項５】
指定された患者の治療の際に用いられる治療機器の識別情報を第１センサから取得する取得部と、
患者の病名を含む治療履歴を記憶した記憶部と、
前記記憶部を参照して、指定された前記患者の病名を特定する特定部と、
前記特定部が特定した前記病名と前記取得部が取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する処理部と、
を備えるカルテ入力支援装置。
【発明の詳細な説明】
【技術分野】
【０００１】
本発明は、カルテ入力支援プログラム、カルテ入力支援方法及びカルテ入力支援装置に関する。
【背景技術】
【０００２】
従来、治療対象の歯に関するデータの入力があった場合に、記憶手段に予め記憶しておいた治療対象歯の絵を読み出し、治療内容に関連付けてカルテに記録する技術が知られている（例えば、特許文献１参照）。
【０００３】
また、患者から取得されるデジタル画像を分析して得られる情報を使用して、電子歯科カルテを自動生成する技術が知られている（例えば、特許文献２参照）。
【先行技術文献】
【特許文献】
【０００４】
【特許文献１】特開平８−３３５２３９号公報
【特許文献２】特開２０１２−１５０８０１号公報
【発明の概要】
【発明が解決しようとする課題】
【０００５】
電子カルテにおいて、治療内容を入力する作業は、歯科医にとって手間と時間を要する。しかるに、上記特許文献１，２のように、患者の病状等の入力を支援する技術は知られているものの、治療内容の入力を支援する技術は、提案されていないのが現状である。
【０００６】
１つの側面では、本発明は、電子カルテへの治療内容の入力を支援することが可能なカルテ入力支援プログラム、カルテ入力支援方法及びカルテ入力支援装置を提供することを目的とする。
【課題を解決するための手段】
【０００７】
一つの態様では、カルテ入力支援プログラムは、指定された患者の治療の際に用いられる治療機器の識別情報を第１センサで取得し、患者の病名を含む治療履歴を記憶した記憶部を参照して、指定された前記患者の病名を特定し、特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、処理をコンピュータに実行させるカルテ入力支援プログラムである。
【０００８】
一つの態様では、指定された患者の治療の際に用いられる治療機器の識別情報を第１センサで取得し、患者の病名を含む治療履歴を記憶した記憶部を参照して、指定された前記患者の病名を特定し、特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、処理をコンピュータが実行するカルテ入力支援方法である。
【０００９】
一つの態様では、指定された患者の治療の際に用いられる治療機器の識別情報を第１センサから取得する取得部と、患者の病名を含む治療履歴を記憶した記憶部と、前記記憶部を参照して、指定された前記患者の病名を特定する特定部と、前記特定部が特定した前記病名と前記取得部が取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する処理部と、を備えている。
【発明の効果】
【００１０】
電子カルテへの治療内容の入力を支援することができる。
【図面の簡単な説明】
【００１１】
【図１】一実施形態に係るカルテ入力支援システムの構成を概略的に示す図である。
【図２】カルテ支援システムが設けられている歯科治療室を示す図である。
【図３】電子カルテ端末のハードウェア構成を示す図である。
【図４】電子カルテ端末１０の機能ブロック図である。
【図５】図５（ａ）は、使用機器時系列ＤＢのデータ構造を示す図であり、図５（ｂ）は、歯科治療機器マスタテーブルのデータ構造を示す図である。
【図６】図６（ａ）は、紐付けテーブルのデータ構造を示す図であり、図６（ｂ）は、患者ＤＢのデータ構造を示す図である。
【図７】図７（ａ）は、病名マスタテーブルのデータ構造を示す図であり、図７（ｂ）は、歯科治療行為マスタテーブルのデータ構造を示す図である。
【図８】カルテ表示データテーブルのデータ構造を示す図である。
【図９】電子カルテ端末の処理を示すフローチャートである。
【図１０】カルテ画面の一例を示す図である。
【図１１】図１１（ａ）は、選択画面の一例を示す図であり、図１１（ｂ）は、治療行為が決定した後のカルテ画面を示す図である。
【発明を実施するための形態】
【００１２】
以下、カルテ入力支援システムの一実施形態について、図１〜図１１に基づいて詳細に説明する。図１には、カルテ入力支援システム１００の構成が概略的に示されている。本実施形態のカルテ入力支援システム１００は、歯科医師による電子カルテに対する患者の情報入力を支援するシステムであり、図２に示すような歯科治療室２００内に設けられる。
【００１３】
カルテ入力支援システム１００は、図１に示すように、複数の第１センサとしての機器センサ５０と、第２センサとしてのジェスチャーセンサ７０と、カルテ入力支援装置としての電子カルテ端末１０と、を備える。
【００１４】
複数の機器センサ５０は、図２に示すように、歯科診療台１０１近傍の歯科診療用トレーテーブル１０３に設置された歯科用インスツルメントホルダ１０５内に設けられている。各歯科用インスツルメントホルダ１０５には、予め定められた種類のインスツルメント１０７が接続される管路１０９が導入されている。管路１０９に接続されるインスツルメント１０７としては、タービン、エンジン、２ｗａｙポイントなどがある。また、インスツルメントの先には、カーバイドバー、スチールバーなどが接続される。これらカーバイドバー、スチールバーなどにも機器センサ５０は設けられている。以下、歯科医が利用するインスツルメント１０７やカーバイドバーなどを含んで、「治療機器」と呼ぶものとする。各機器センサ５０は、治療機器が歯科用インスツルメントホルダ１０５から取り外され、利用された場合に、利用された治療機器を検出し、該検出結果を電子カルテ端末１０に対して無線通信等により送信する。
【００１５】
ジェスチャーセンサ７０は、歯科診療用トレーテーブル１０３に設けられた表示部９３の一部（図２では上部）に固定されたカメラを含み、人（本実施形態では、歯科医師）の動き（手の移動、指の本数など）を検出し、電子カルテ端末１０に送信する。
【００１６】
電子カルテ端末１０は、図２では図示されていないが、歯科治療室２００内に設けられており、電子カルテに関するデータを管理し、歯科医師からの要求に応じてデータを表示したり、更新したりする。また、電子カルテ端末１０は、歯科医師による電子カルテに対するデータ入力を支援する。
【００１７】
図３には、電子カルテ端末１０のハードウェア構成が示されている。この図３に示すように、電子カルテ端末１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、入出力インタフェース９７、表示部９３、入力部９５及び可搬型記憶媒体用ドライブ９９等を備えている。これら電子カルテ端末１０の構成各部は、バス９８に接続されている。入出力インタフェース９７には、前述した機器センサ５０や、ジェスチャーセンサ７０が接続されている。表示部９３は、液晶ディスプレイ等を含み、入力部９５は、キーボード、マウスおよびタッチパネル等を含む。
【００１８】
電子カルテ端末１０では、ＲＯＭ９２あるいはＨＤＤ９６に格納されているプログラム（カルテ入力支援プログラムを含む）、或いは可搬型記憶媒体用ドライブ９９が可搬型記憶媒体９１から読み取ったプログラム（カルテ入力支援プログラムを含む）をＣＰＵ９０が実行することにより、図４に示す、取得部としての使用機器情報取得部１２、特定部としての治療行為特定部１４、提示部としての治療行為決定部１６、入力部としての入力受付部１８、及びカルテ表示部２０、としての機能が実現される。なお、図４には、電子カルテ端末１０のＨＤＤ９６等に格納されている使用機器時系列ＤＢ（database）３１、歯科治療機器マスタテーブル３２、病名マスタテーブル３３、歯科治療行為マスタテーブル３４、対応関係データとしての紐付けテーブル３５、記憶部としての患者ＤＢ３６、及びカルテ表示データテーブル３７も図示されている。なお、ＤＢやテーブルの具体的なデータ構造等については後述する。
【００１９】
使用機器情報取得部１２は、歯科医師により指定された患者に対する治療を行っている間に用いられた治療機器の識別情報（機器コード）を機器センサ５０から取得する。使用機器情報取得部１２は、取得した治療機器の機器コードや治療機器の使用日時等を使用機器時系列ＤＢ３１に格納する。
【００２０】
ここで、使用機器時系列ＤＢ３１は、図５（ａ）に示すようなデータ構造を有する。具体的には、使用機器時系列ＤＢ３１は、「患者ＩＤ」、「ユーザＩＤ」、「機器コード」、「機器名」、「使用日」、「使用開始時刻」、「使用終了時刻」の各フィールドを有する。「患者ＩＤ」のフィールドには、歯科医師が治療を行う患者として指定した患者の識別情報が格納され、「ユーザＩＤ」のフィールドには、治療を行う歯科医師の識別情報が格納される。「機器コード」のフィールドには、歯科医師が治療に用いた治療機器の識別情報が格納され、「機器名」のフィールドには、「機器コード」に対応する機器の名称が格納される。ここで、使用機器情報取得部１２は、「機器コード」に対応する「機器名」を、図５（ｂ）に示す「機器コード」と「機器名」を関連付けて記憶する歯科治療機器マスタテーブル３２から検索するものとする。図５（ａ）に戻り、「使用日」のフィールドには、機器が使用された年月日が格納され、「使用開始時刻」及び「使用終了時刻」のフィールドには、機器が使用開始された時刻及び機器の使用が終了した時刻が格納される。
【００２１】
図４に戻り、治療行為特定部１４は、患者の病名を含む治療履歴を記憶した患者ＤＢ３６（図６（ｂ））を参照して、歯科医師が治療を行う患者として指定された患者の病名を特定する。また、治療行為特定部１４は、特定した患者の病名と、使用機器時系列ＤＢ３１に格納されている治療機器の識別情報（機器コード）との組み合わせに対応する治療内容（治療行為候補）を、紐付けテーブル３５に基づいて特定する。
【００２２】
ここで、紐付けテーブル３５は、病名と治療機器の組み合わせと治療内容との対応関係を示す、予め用意されたテーブルであり、図６（ａ）に示すようなデータ構造を有している。図６（ａ）に示すように、紐付けテーブル３５は、「病名コード」、「病名」、「シーケンスＮｏ．」、「機器コード１」、「機器コード２」…、「治療コード」の各フィールドを有する。この図６（ａ）の紐付けテーブル３５では、患者の病名（病名コード）と、歯科医師が用いた機器（機器コード）と、その治療が何であるかを示す治療コードと、が紐付けて定義されている。なお、図７（ａ）に示すように、病名マスタテーブル３３には、病名コードと病名とが対応付けて格納されている。したがって、病名マスタテーブル３３は、必ずしも「病名コード」及び「病名」の両フィールドを含んでいなくてもよく、いずれか一方のフィールドのみを含んでいればよい。また、治療コードが、どのような治療項目名であり、その単価がいくらであるかは、図７（ｂ）の歯科治療行為マスタテーブル３４を参照すればわかるようになっている。
【００２３】
患者ＤＢ３６は、図６（ｂ）に示すように、「患者ＩＤ」、「病名コード」、「病名」、「歯式部位」、「病名開始日」、「転記日」の各フィールドを有する。患者ＤＢ３６には、どの患者（患者ＩＤ）が、いつから（病名開始日）、どこの歯（歯式部位）のどのような病気（病名コード、病名）で治療を受け、いつ治療が完了したか（転記日）を格納する。患者ＤＢ３６に格納されている各データは、歯科医師が入力部９５を介して適宜入力する。
【００２４】
図４に戻り、治療行為決定部１６は、治療行為特定部１４が特定した治療行為候補が１つの場合、該治療行為候補を患者の今回の治療行為としてカルテ表示データテーブル３７（図８参照）に入力する。なお、カルテ表示データテーブル３７については、後述する。また、治療行為決定部１６は、治療行為特定部１４が特定した治療行為候補が複数あった場合には、複数の治療行為候補を選択画面（図１１（ａ）参照）上に入力候補として選択肢表示する。
【００２５】
入力受付部１８は、入力部９５からの入力を受け付けるとともに、ジェスチャーセンサ７０の検出結果を受け付ける。入力受付部１８は、例えば、歯科医師が患者に関するデータを入力した場合には、該データを受け付け、患者ＤＢ３５を更新する。また、入力受付部１８は、例えば、歯科医師が選択画面（図１１（ａ））に表示された治療行為候補のいずれかを選択したという情報をジェスチャーセンサ７０から受け付けると、選択された治療行為候補を今回の治療行為としてカルテ表示データテーブル３７に入力する。
【００２６】
カルテ表示部２０は、歯科医師によって指定された患者の情報（表示部９３に表示すべき情報）を、患者ＤＢ３６等から取得し、カルテ表示データテーブル３７に格納する。ここで、カルテ表示データテーブル３７は、図８に示すように、「患者ＩＤ」、「治療終了日時」、「病名ｏｒ治療」、「歯式部位」、「病名／治療名称」、「病名コード／治療コード」、「単価」の各フィールドを有する。このカルテ表示データテーブル３７には、カルテ表示部２０により、患者ＩＤ、病名コード、歯式部位、が格納され、治療行為決定部１６により、治療名称、治療コード、単価、治療終了日時が格納される。
【００２７】
次に、図９のフローチャートに沿って、電子カルテ端末１０により実行される処理について、詳細に説明する。
【００２８】
図９の処理では、まず、ステップＳ１０において、入力受付部１８が、歯科医師からのカルテ画面の表示要求を受け付けるまで待機する。歯科医師が、入力部９５を用いてカルテ画面の表示要求を入力すると、ステップＳ１２に移行し、カルテ表示部２０は、カルテ画面を表示する。ここで、歯科医師は、表示要求の際に、治療を行う患者を選択するので、カルテ表示部２０は、カルテ表示データテーブル３７から選択された患者のデータを抽出し、図１０に示すようなカルテ画面を表示する。なお、歯科医師は、特定のジェスチャーを行うことにより、カルテ画面の表示要求を入力することとしてもよい。
【００２９】
次いで、ステップＳ１４では、使用機器情報取得部１２が、歯科医師による治療が開始されるまで待機する。なお、歯科医師による治療が開始されたか否かは、いずれかの機器センサ５０により、治療機器の利用開始が検出されたか否かに基づいて判断される。なお、治療開始情報は、歯科医師が例えば入力部９５を介して入力したり、特定のジェスチャーを行うことにより入力してもよい。
【００３０】
ステップＳ１４において治療が開始されたと判断され、ステップＳ１６に移行すると、使用機器情報取得部１２は、機器センサ５０から使用機器情報を取得できたか否かを判断する。このステップＳ１６の判断が肯定された場合には、ステップＳ１８に移行し、使用機器情報取得部１２は、使用された治療機器の情報を使用機器時系列ＤＢ３１に格納する。例えば、歯科医師「ＳＩＫＡＤＲ０１」が、患者ＩＤ「１２３４５６７８」に対して、機器コード「０００１」、機器名「タービン」を使用した場合には、図５（ａ）の上から１つ目のレコードに示すような情報が格納される。なお、ステップＳ１８の処理は、治療機器の使用が終了したタイミングで行うこととすればよい。ステップＳ１８の処理の後は、ステップＳ１６に戻る。
【００３１】
一方、ステップＳ１６の判断が否定された場合には、ステップＳ２０に移行し、使用機器情報取得部１２は、患者の治療が終了したか否かを判断する。なお、患者の治療が終了したか否かは、歯科医師が入力部９５等を介してその旨を入力したか否かにより判断する。なお、使用機器情報取得部１２は、歯科医師のジェスチャーにより、患者の治療が終了したか否かを判断してもよい。このステップＳ２０の判断が否定された場合には、ステップＳ１６に戻るが、ステップＳ２０の判断が肯定された場合には、ステップＳ２１に移行する。なお、ステップＳ２１に移行する段階においては、患者に対する治療を開始してから終了するまでの間に利用した治療機器の情報が、使用機器時系列ＤＢ３１に格納されていることになる。
【００３２】
ステップＳ２１に移行すると、治療行為特定部１４は、治療行為候補を抽出する。具体的には、治療行為特定部１４は、患者ＤＢ３６に格納されている患者の病名コード及び病名と、使用機器時系列ＤＢ３１に格納されている治療に利用した治療機器の機器コードと、に基づいて、紐付けテーブル３５から、治療コードを抽出する。例えば、患者の病名コードが「１０００１」、病名が「う蝕第１度」であり、使用した治療機器の機器コードが「０００１」と「００１０」であった場合には、図６（ａ）の紐付けテーブル３５より、治療コードとして「ＳＹＯＣＨＩ０００１」、「ＳＹＯＣＨＩ０００２」、「ＳＹＯＣＨＩ０００３」を抽出することができる。
【００３３】
次いで、ステップＳ２２では、治療行為特定部１４は、治療行為候補が複数あるか否かを判断する。このステップＳ２２の判断が否定された場合には、ステップＳ２８に移行するが、肯定された場合にはステップＳ２４に移行する。上記のように、抽出された治療コードが「ＳＹＯＣＨＩ０００１」、「ＳＹＯＣＨＩ０００２」、「ＳＹＯＣＨＩ０００３」のように複数存在する場合には、ステップＳ２２の判断が肯定されて、ステップＳ２４に移行する。
【００３４】
ステップＳ２４に移行すると、治療行為決定部１６は、表示部９３上に選択画面を表示する。例えば、抽出された治療コードが「ＳＹＯＣＨＩ０００１」、「ＳＹＯＣＨＩ０００２」、「ＳＹＯＣＨＩ０００３」の場合には、治療行為決定部１６は、各治療コードに対応する治療項目名及び点数を歯科治療行為マスタテーブル３４から取得する。この場合、治療コード「ＳＹＯＣＨＩ０００１」に対応する治療項目名（点数）が「う蝕処置（１００点）」であり、治療コード「ＳＹＯＣＨＩ０００２」に対応する治療項目名（点数）が「歯髄保護処理（１０００点）」であり、治療コード「ＳＹＯＣＨＩ０００３」に対応する治療項目名（点数）が「歯髄温存療法（１２００点）」である。したがって、治療行為決定部１６は、これらの情報を表示したボタンと、該当なしのボタンを選択肢として含む図１１（ａ）に示すような選択画面を表示（例えば、図１０のカルテ画面上にポップアップ表示）する。
【００３５】
次いで、ステップＳ２６では、治療行為決定部１６が、ジェスチャーにより治療行為が選択されるまで待機する。ここで、ジェスチャーセンサ７０は、治療を行った医師のジェスチャーを検出し、治療行為決定部１６に入力する。そして、治療行為決定部１６は、ジェスチャーセンサ７０が検出したジェスチャーにより、選択画面中のどのボタンが押されたかを判断する。例えば、歯科医師が「う触処置（１００点）」を選択するジェスチャーを行った場合には、ステップＳ２８に移行し、治療行為決定部１６は、「う蝕処置（１００点）」を治療行為として決定する。
【００３６】
なお、ステップＳ２２の判断が否定された場合、すなわち、治療行為候補が１つであった場合には、ステップＳ２８において、治療行為決定部１６は、抽出された治療行為候補を治療行為として決定する。
【００３７】
次いで、ステップＳ３０では、治療行為決定部１６が、決定した治療行為のデータでカルテ表示データテーブル３７を更新する。そして、次のステップＳ３２では、カルテ表示部２０が、更新されたカルテ表示データテーブル３７に基づいて、カルテ画面を更新する。この場合、図１１（ｂ）に示すように、カルテ画面のうち「今回カルテ」の欄が更新される。
【００３８】
次いで、ステップＳ３４では、入力受付部１８が、入力部９５等を介した歯科医師からの入力があったか否かを判断する。このステップＳ３４の判断が肯定された場合、すなわち、歯科医師がカルテ内容を手入力で追加・変更等した場合には、ステップＳ３０に戻り、ステップＳ３０，Ｓ３２の処理を実行する。一方、ステップＳ３４の判断が否定された場合には、ステップＳ３６に移行し、入力受付部１８は、カルテ画面の表示を終了するか否かを判断する。このステップＳ３６の判断が肯定された場合、すなわち、歯科医師が、入力部９５等を介して、患者の治療が終了した旨を入力したような場合には、図９の全処理を終了する。これに対し、ステップＳ３６の判断が否定された場合には、ステップＳ３４に戻る。
【００３９】
以上のように、図９の処理が実行されることで、歯科医師は、治療行為に関する情報を直接入力等しなくても良くなるため、歯科医師による電子カルテへのデータ入力の手間を削減することができる。
【００４０】
なお、これまでの説明からわかるように、治療行為特定部１４と治療行為決定部１６とにより、患者の病名と歯科医師が使用した治療機器の機器コードとの組み合わせに対応する治療内容を、紐付けテーブルに基づいて特定し、患者の電子カルテに今回の治療内容として入力する、又は、入力候補として選択画面に表示する処理部としての機能が実現されている。
【００４１】
以上、詳細に説明したように、本実施形態によると、使用機器情報取得部１２は、患者の治療の際に用いられる治療機器の機器コードを機器センサ５０で取得し、治療行為特定部１４は、患者ＤＢ３６を参照して、治療を行った患者の病名を特定する。そして、治療行為特定部１４は、特定した病名と取得した治療機器の機器コードとの組み合わせに対応する治療内容（治療コード）を、紐付けテーブル３５に基づいて特定し、治療行為決定部１６は、治療した患者の電子カルテに特定した治療内容を患者の今回の治療内容として入力する、又は、選択画面において入力候補として提示する。これにより、本実施形態では、歯科医師が、治療行為に関するデータを手入力しなくても、患者の病名と治療機器の組み合わせに基づいて、治療行為を特定する又は治療行為候補を提示することができる。したがって、電子カルテには、特定された治療行為が自動的に入力されるか、あるいは治療行為候補から選択したものが入力されるので、歯科医師によるデータ入力の手間を削減することができる。このように、本実施形態では、カルテ入力支援システム１００により、歯科医師による電子カルテへのデータ入力を支援することができる。
【００４２】
また、本実施形態では、複数の治療行為候補があった場合に、選択画面にて歯科医師に実際に行った治療行為を選択させる。これにより、患者の病名と使用した治療機器との組み合わせからは治療行為を決定できない場合であっても、歯科医師は、選択画面上で選択するのみで、電子カルテへの治療行為に関するデータの入力を行うことが可能である。
【００４３】
また、本実施形態では、歯科医師は治療行為候補の中から治療行為を選択する際にジェスチャーを行い、ジェスチャーセンサ７０は歯科医師のジェスチャーを検出することで、歯科医師の選択内容を特定する。これにより、歯科医師は、入力部９５（キーボードやマウス、タッチパネルなど）に触れずに、治療内容の選択を行うことができるので、歯科医師の手を衛生的に保つことができる。
【００４４】
なお、上記実施形態では、歯科医師は、治療行為の選択の際にジェスチャーを行う場合について説明したが、これに限らず、例えば音声により治療行為の選択を行うこととしてもよい。この場合、ジェスチャーセンサ７０に代えて、マイクを用いることとすればよい。この場合にも、歯科医師は、入力部９５に触れなくてよいため、手を衛生的に保つことができる。
【００４５】
なお、上記実施形態では、機器センサ５０として、治療機器に設けられたバーコードを読み取り可能なバーコードリーダを用いることとしてもよい。この場合、歯科医師は、使用する治療機器のバーコードをバーコードリーダに読み取らせることとすればよい。また、バーコードリーダに代えて、治療機器に設けられたＩＣタグの情報を読み取り可能な読み取り装置を用いることとしてもよい。
【００４６】
なお、上記実施形態では、カルテ入力支援システム１００を歯科医師が利用する場合について説明したが、これに限らず、例えば外科医などの治療機器（手術道具など）を用いる医師が、カルテ入力支援システム１００を利用することとしてもよい。
【００４７】
なお、上記実施形態では、図６（ａ）の紐付けテーブル３５、図６（ｂ）の患者ＤＢ３６において、病名コードと病名の両フィールドを有する場合について説明したが、これに限らず、いずれか一方を省略してもよい。
【００４８】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００４９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５１】
上述した実施形態は本発明の好適な実施の例である。但し、これに限定されるものではなく、本発明の要旨を逸脱しない範囲内において種々変形実施可能である。
【００５２】
なお、以上の実施形態の説明に関して、更に以下の付記を開示する。
（付記１）  指定された患者の治療の際に用いられる治療機器の識別情報を第１センサで取得し、
患者の病名を含む治療履歴を記憶した記憶部を参照して、指定された前記患者の病名を特定し、
特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、
処理をコンピュータに実行させることを特徴とするカルテ入力支援プログラム。
（付記２）  前記対応関係データに基づいて、特定した前記病名と取得した前記治療機器の識別情報との組み合わせに対応する治療内容が複数特定された場合に、特定された複数の治療内容を入力候補として提示し、
提示した前記複数の治療内容のうち、選択された治療内容を今回の治療内容として入力する、処理をコンピュータに実行させることを特徴とする付記１に記載のカルテ入力支援プログラム。
（付記３）  前記治療内容が選択されたことを、人の動き又は音を検出する第２センサの検出結果から取得することを特徴とする付記２に記載のカルテ入力支援プログラム。
（付記４）  指定された患者の治療の際に用いられる治療機器の識別情報を第１センサで取得し、
患者の病名を含む治療履歴を記憶した記憶部を参照して、指定された前記患者の病名を特定し、
特定した前記病名と取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する、
処理をコンピュータが実行することを特徴とするカルテ入力支援方法。
（付記５）  前記対応関係データに基づいて、特定した前記病名と取得した前記治療機器の識別情報との組み合わせに対応する治療内容が複数特定された場合に、特定された複数の治療内容を入力候補として提示し、
提示した前記複数の治療内容のうち、選択された治療内容を今回の治療内容として入力する、処理をコンピュータが実行することを特徴とする付記４に記載のカルテ入力支援方法。
（付記６）  前記治療内容が選択されたことを、人の動き又は音を検出する第２センサの検出結果から取得することを特徴とする付記５に記載のカルテ入力支援方法。
（付記７）  指定された患者の治療の際に用いられる治療機器の識別情報を第１センサから取得する取得部と、
患者の病名を含む治療履歴を記憶した記憶部と、
前記記憶部を参照して、指定された前記患者の病名を特定する特定部と、
前記特定部が特定した前記病名と前記取得部が取得した前記治療機器の識別情報との組み合わせに対応する治療内容を、病名と治療機器の組み合わせと治療内容との対応関係データに基づいて特定し、指定された前記患者の電子カルテに特定した前記治療内容を前記患者の今回の治療内容として入力する、又は、入力候補として提示する処理部と、
を備えるカルテ入力支援装置。
（付記８）  前記対応関係データに基づいて、特定した前記病名と取得した前記治療機器の識別情報との組み合わせに対応する治療内容が複数特定された場合に、特定された複数の治療内容を入力候補として提示する提示部と、
前記提示部が提示した前記複数の治療内容のうち、選択された治療内容を今回の治療内容として入力する入力部と、を備える付記７に記載のカルテ入力支援装置。
（付記９）  前記治療内容が選択されたことを、人の動き又は音を検出する第２センサの検出結果から取得する取得部を備える付記８に記載のカルテ入力支援装置。
【符号の説明】
【００５３】
１０  電子カルテ端末（カルテ入力支援装置）
１２  使用機器情報取得部（取得部）
１４  治療行為特定部（特定部、処理部の一部）
１６  治療行為決定部（提示部、処理部の一部）
１８  入力受付部（入力部）
３６  患者ＤＢ（記憶部）
５０  機器センサ（第１センサ）
７０  ジェスチャーセンサ（第２センサ）
【図１】
2016033777.tif 000003
【図２】
2016033777.tif 000004
【図３】
2016033777.tif 000005
【図４】
2016033777.tif 000006
【図５】
2016033777.tif 000007
【図６】
2016033777.tif 000008
【図７】
2016033777.tif 000009
【図８】
2016033777.tif 000010
【図９】
2016033777.tif 000011
【図１０】
2016033777.tif 000012
【図１１】
2016033777.tif 000013